(57)【要約】  本願の実施例は、端末デバイスがライセンス周波数帯域及びアンライセンス周波数帯域においてセル選択及びセル再選択を行うことができるセル選択方法、端末デバイス及びネットワークデバイスを開示する。この方法は、端末デバイスが、予め構成された第１の構成情報、ネットワークが動的シグナリングを利用して構成した第２の構成情報、及びユーザーにより設定された動作モードのうちの少なくとも１つに基づいて、目標周波数ポイントを検索することと、前記目標周波数ポイントでのセルの状況に基づいて、セル選択又はセル再選択を行うこととを含む。
2021510017.tif 000002
【特許請求の範囲】
【請求項１】
端末デバイスが、予め構成された第１の構成情報、ネットワークが動的シグナリングを利用して構成した第２の構成情報、及びユーザーにより設定された動作モードのうちの少なくとも１つに基づいて、目標周波数ポイントを検索することと、
前記目標周波数ポイントでのセルの状況に基づいて、セル選択又はセル再選択を行うこととを含む
ことを特徴とするセル選択方法。
【請求項２】
前記第１の構成情報が第１の周波数ポイントセットの情報及び／又は第１の周波数優先度情報を含み、前記第２の構成情報が第２の周波数ポイントセットの情報及び／又は第２の周波数優先度情報を含む
ことを特徴とする請求項１に記載のセル選択方法。
【請求項３】
前記第２の周波数優先度情報は、前記ネットワークデバイスが前記端末デバイスの能力、加入者情報及び前記端末デバイスのプリファレンスのうちの少なくとも１つに基づいて決定し動的シグナリングを介して特定の端末デバイスに構成する
ことを特徴とする請求項２に記載のセル選択方法。
【請求項４】
前記第２の周波数優先度情報の優先度が前記第１の周波数優先度情報の優先度よりも高く、前記ユーザーにより設定された動作モードの優先度が前記第１の構成情報及び前記第２の構成情報よりも高い
ことを特徴とする請求項２又は３に記載のセル選択方法。
【請求項５】
前記端末デバイスが、予め構成された第１の構成情報、ネットワークにより構成された第２の構成情報、及びユーザーにより設定された動作モードの少なくとも１つに基づいて、目標周波数ポイントを検索することは、
ユーザーにより設定された動作モードがアンライセンス周波数帯域のみでセル選択又はセル再選択を行うように指示する場合、前記端末デバイスが前記第１の周波数ポイントセット又は前記第２の周波数ポイントセットから、アンライセンス周波数帯域に属する周波数ポイントを目標周波数ポイントとして決定し、前記目標周波数ポイントを検索すること、又は、
動作モードがアンライセンス周波数帯域のみでセル選択又はセル再選択を行うようにユーザーにより設定されない場合、前記端末デバイスが前記第１の周波数ポイントセット又は前記第２の周波数ポイントセットに含まれるライセンス周波数帯域及びアンライセンス周波数帯域の周波数ポイントから、目標周波数ポイントを決定し、前記目標周波数ポイントを検索することを含む
ことを特徴とする請求項２〜４のいずれか１項に記載のセル選択方法。
【請求項６】
前記第１の周波数優先度情報がライセンス周波数帯域及びアンライセンス周波数帯域の周波数ポイントの優先度の順番を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが前記第１の周波数ポイントセットからアンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第１の周波数ポイントセットから、ライセンス周波数帯域に属する周波数ポイントを目標周波数ポイントとして優先に決定し、前記目標周波数ポイントを検索することを含む
ことを特徴とする請求項２〜５のいずれか１項に記載のセル選択方法。
【請求項７】
前記第２の周波数優先度情報がライセンス周波数帯域及びアンライセンス周波数帯域の周波数ポイントの優先度を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが、前記第２の周波数ポイントセットから、アンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第２の周波数ポイントセットから、ライセンス周波数帯域に属する周波数ポイントを目標周波数ポイントとして優先に決定し、前記目標周波数ポイントを検索することを含む
ことを特徴とする請求項２〜５のいずれか１項に記載のセル選択方法。
【請求項８】
前記方法は、さらに、
前記端末デバイスが前記目標周波数ポイントに対応する第１のセルのマスター情報ブロックＭＩＢを受信することを含み、前記ＭＩＢが指示情報を含み、前記指示情報は、前記第１のセルがプライマリーセル機能をサポートするかどうかを指示する
ことを特徴とする請求項１〜７のいずれか１項に記載のセル選択方法。
【請求項９】
前記目標周波数ポイントに対応するセルの状況に基づいて、セル選択又はセル再選択を行うことは、
前記端末デバイスが前記指示情報に基づいて、セル選択又はセル再選択を行うことを含む
ことを特徴とする請求項８に記載のセル選択方法。
【請求項１０】
前記端末デバイスが前記指示情報に基づいてセル選択を行うことは、
前記情報が前記第１のセルがプライマリーセル機能をサポートするように指示する場合、前記端末デバイスが前記第１のセルの信号品質に基づいて前記第１のセルに常駐するかどうかを決定すること、又は、
前記指示情報が前記第１のセルがプライマリーセル機能をサポートしないように指示する場合、前記端末デバイスが前記第１のセルに常駐しないと決定することを含む
ことを特徴とする請求項９に記載のセル選択方法。
【請求項１１】
前記方法は、さらに、
前記端末デバイスが前記目標周波数ポイントに対応する第１のセルのシステム情報ブロックＳＩＢを受信することを含み、前記ＳＩＢがセル再選択条件を含み、前記セル再選択条件が隣接セルと現在セルの信号品質の差の閾値を含み、前記端末デバイスが前記指示情報に基づいてセル再選択を行うことは、
前記指示情報が前記第１のセルがプライマリーセル機能をサポートするように指示する場合、前記端末デバイスが前記第１のセルの信号品質と前記端末デバイスの現在常駐する第２のセルの信号品質との差が前記信号品質の差の閾値を超えるかどうかに基づいて、前記第２のセルから前記第１のセルへの再選択を行うかどうかを決定すること、又は、
前記指示情報が前記第１のセルがプライマリーセル機能をサポートしないように指示する場合、前記端末デバイスが前記第２のセルから前記第１のセルへの再選択を行わないと決定することを含む
ことを特徴とする請求項９に記載のセル選択方法。
【請求項１２】
前記端末デバイスがセル再選択を行う必要があると決定した後、前記方法は、さらに、
前記第２の周波数優先度がアンライセンス周波数帯域の周波数ポイントの優先度がライセンス周波数帯域の周波数ポイントの優先度よりも高いことを指示する場合、アンライセンス周波数帯域の同じ周波数ポイント又は異なる周波数ポイントの他セルにおいてセル再選択を行うこと、又は、
前記第２の周波数優先度がライセンス周波数帯域の周波数ポイントの優先度がアンライセンス周波数帯域の周波数ポイントの優先度よりも高いことを示す場合、ライセンス周波数帯域の同じ周波数ポイントセル又は異なる周波数ポイントの他セルにおいてセル再選択を行うことを含む
ことを特徴とする請求項１１に記載のセル選択方法。
【請求項１３】
ネットワークデバイスが、端末デバイスの能力、加入者情報、及び前記端末デバイスのうちの少なくとも１つに基づいて、第２の構成情報を決定することと、
前記ネットワークデバイスが前記端末デバイスに前記第２の構成情報を送信することとを含む
ことを特徴とするセル選択方法。
【請求項１４】
検索モジュールと、選択モジュールとを備える端末デバイスであって、
前記検索モジュールは、予め構成された第１の構成情報、ネットワークが動的シグナリングを利用して構成した第２の構成情報、及びユーザーにより設定された動作モードの少なくとも１つに基づいて、目標周波数ポイントを検索するように構成され、
前記選択モジュールは、前記目標周波数ポイントでのセルの状況に基づいて、セル選択又はセル再選択を行うように構成される
ことを特徴とする端末デバイス。
【請求項１５】
前記第１の構成情報が第１の周波数ポイントセットの情報及び／又は第１の周波数優先度情報を含み、前記第２の構成情報が第２の周波数ポイントセットの情報及び／又は第２の周波数優先度情報を含む
ことを特徴とする請求項１４に記載の端末デバイス。
【請求項１６】
前記第２の周波数優先度情報は、前記ネットワークデバイスが前記端末デバイスの能力、加入者情報及び前記端末デバイスのプリファレンスのうちの少なくとも１つに基づいて決定し動的シグナリングを介して特定の端末デバイスに構成する
ことを特徴とする請求項１５に記載の端末デバイス。
【請求項１７】
前記第２の周波数優先度情報の優先度が前記第１の周波数優先度情報の優先度よりも高く、前記ユーザーにより設定された動作モードの優先度が前記第１の構成情報及び前記第２の構成情報よりも高い
ことを特徴とする請求項１５又は１６に記載の端末デバイス。
【請求項１８】
前記検索モジュールは、
ユーザーにより設定された動作モードがアンライセンス周波数帯域のみにおいてセル選択又はセル再選択を行うように指示する場合、前記第１の周波数ポイントセット又は前記第２の周波数ポイントセットから、アンライセンス周波数帯域に属する周波数ポイントを目標周波数ポイントとして決定し、前記目標周波数ポイントを検索し、又は、
動作モードがアンライセンス周波数帯域のみでセル選択又はセル再選択を行うようにユーザーにより設定されない場合、前記第１の周波数ポイントセット又は前記第２の周波数ポイントセットに含まれるライセンス周波数帯域及びアンライセンス周波数帯域の周波数ポイントから目標周波数ポイントを決定し、前記目標周波数ポイントを検索するように構成される
ことを特徴とする請求項１５〜１７のいずれか１項に記載の端末デバイス。
【請求項１９】
前記第１の周波数優先度情報がライセンス周波数帯域及びアンライセンス周波数帯域の周波数ポイントの優先度の順番を示し、前記検索モジュールは、
アンライセンス周波数帯域の周波数ポイントの優先度がライセンス周波数帯域の周波数ポイント優先度よりも高い場合、前記第１の周波数ポイントセットから、アンライセンス周波数帯域に属する周波数ポイントを目標周波数ポイントとして優先に決定し、前記目標周波数ポイントを検索し、又は、
ライセンス周波数帯域の周波数ポイントの優先度がアンライセンス周波数帯域の周波数ポイント優先度よりも高い場合、前記第１の周波数ポイントセットから、ライセンス周波数帯域に属する周波数ポイントを目標周波数ポイントとして優先に決定し、前記目標周波数ポイントを検索するように構成される
ことを特徴とする請求項１５〜１８のいずれか１項に記載の端末デバイス。
【請求項２０】
前記第２の周波数優先度情報がライセンス周波数帯域及びアンライセンス周波数帯域の周波数ポイントの優先度を示し、前記検索モジュールは、
アンライセンス周波数帯域の周波数ポイントの優先度がライセンス周波数帯域の周波数ポイント優先度よりも高い場合、前記第２の周波数ポイントセットから、アンライセンス周波数帯域に属する周波数ポイントを目標周波数ポイントとして優先に決定し、又は、
ライセンス周波数帯域の周波数ポイントの優先度がアンライセンス周波数帯域の周波数ポイント優先度よりも高い場合、前記第２の周波数ポイントセットから、ライセンス周波数帯域に属する周波数ポイントを目標周波数ポイントとして優先に決定するように構成される
ことを特徴とする請求項１５〜１８のいずれか１項に記載の端末デバイス。
【請求項２１】
前記端末デバイスは、さらに、通信モジュールを含み、
前記通信モジュールは、前記目標周波数ポイントに対応する第１のセルのマスター情報ブロックＭＩＢを受信するように構成され、前記ＭＩＢが指示情報を含み、前記指示情報は、前記第１のセルがプライマリーセル機能をサポートするかどうかを指示する
ことを特徴とする請求項１４〜２０のいずれか１項に記載の端末デバイス。
【請求項２２】
前記選択モジュールは、
前記指示情報に基づいて、セル選択又はセル再選択を行うように構成される
ことを特徴とする請求項２１に記載の端末デバイス。
【請求項２３】
前記選択モジュールは、
前記指示情報が前記第１のセルがプライマリーセル機能をサポートするように指示する場合、前記第１のセル的信号品質に基づいて、前記第１のセルに常駐するかどうかを決定し、又は、
前記指示情報が前記第１のセルがプライマリーセル機能をサポートしないように指示する場合、前記第１のセルに常駐しないと決定するように構成される
ことを特徴とする請求項２２に記載の端末デバイス。
【請求項２４】
前記通信モジュールは、さらに、
前記目標周波数ポイントに対応する第１のセルのシステム情報ブロックＳＩＢを受信するように構成され、前記ＳＩＢがセル再選択条件を含み、前記セル再選択条件が隣接セルと現在セルの信号品質の差の閾値を含み、
前記選択モジュールは、
前記指示情報が前記第１のセルがプライマリーセル機能をサポートするように指示する場合、前記第１のセルの信号品質と前記端末デバイスの現在常駐する第２のセルの信号品質との差が前記信号品質の差の閾値を超えるかどうかに基づいて、前記第２のセルから前記第１のセルへの再選択を行うかどうかを決定し、又は、
前記指示情報が前記第１のセルがプライマリーセル機能をサポートしないように指示する場合、前記第２のセルから前記第１のセルへの再選択を行わないと決定するように構成される
ことを特徴とする請求項２２に記載の端末デバイス。
【請求項２５】
前記選択モジュールは、さらに、
前記第２の周波数優先度がアンライセンス周波数帯域の周波数ポイントの優先度がライセンス周波数帯域の周波数ポイントの優先度よりも高いことを指示する場合、アンライセンス周波数帯域の同じ周波数ポイント又は異なる周波数ポイントの他セルにおいてセル再選択を行うこと、又は、
前記第２の周波数優先度がライセンス周波数帯域の周波数ポイントの優先度がアンライセンス周波数帯域の周波数ポイントの優先度よりも高いことを示す場合、ライセンス周波数帯域の同じ周波数ポイントセル又は異なる周波数ポイントの他セルにおいてセル再選択を行うように構成される
ことを特徴とする請求項２４に記載の端末デバイス。
【請求項２６】
決定モジュールと、通信モジュールとを備えるネットワークデバイスであって、
前記決定モジュールは、端末デバイスの能力、加入者情報、及び前記端末デバイスのプリファレンスのうちの少なくとも１つに基づいて、第２の構成情報を決定するように構成され、
通信モジュールは、前記端末デバイスに前記第２の構成情報を送信するように構成される
ことを特徴とするネットワークデバイス。
【発明の詳細な説明】
【技術分野】
【０００１】
本願の実施例は、通信分野に関し、具体的に、セル選択方法、端末デバイス及びネットワークデバイスに関する。
【背景技術】
【０００２】
ロングタームエボリューション( Ｌｏｎｇ Ｔｅｒｍ Ｅｖｏｌｕｔｉｏｎ、ＬＴＥ )システムでは、ＬＡＡ ( Ｌｉｃｅｎｓｅ−ａｓｓｉｓｔｅｄ Ａｃｃｅｓｓ )技術が導入され、具体的には、プライマリーセル( ＰＣｅｌｌ )をライセンス周波数帯域に構成し、ライセンス周波数帯域の補助によって、アンライセンス周波数帯域にセカンダリーセル( ＳＣｅｌｌ )を構成することを可能にし、アンライセンス周波数帯域でのデータ伝送を実現する。
【０００３】
しかし、ＬＴＥシステムのＬＡＡメカニズムに基づいて、セカンダリーセルは、アンライセンス周波数帯域にのみ構成され、端末デバイスは、アンライセンス周波数帯域に常駐することができないため、システムの動作は、依然としてライセンス周波数帯域に依頼する。従って、ライセンス周波数帯域とアンライセンス周波数帯域の両方が存在する場合に、セル選択やセル再選択をどのように行うかが課題となる。
【発明の概要】
【０００４】
本願は、端末デバイスがライセンス周波数帯域及びアンライセンス周波数帯域においてセル選択又はセル再選択を行うことができるセル選択方法、端末デバイス及びネットワークデバイスを提供する。
【０００５】
第１の態様は、セル選択方法を提供し、
端末デバイスが、予め構成された第１の構成情報、ネットワークが動的シグナリングを利用して構成した第２の構成情報、及びユーザーにより設定された動作モードのうちの少なくとも１つに基づいて、目標周波数ポイントを検索することと、
前記目標周波数ポイントでのセルの状況に基づいて、セル選択又はセル再選択を行うこととを含む。
【０００６】
なお、第１の構成情報は、加入者識別モジュール(  Ｓｕｂｓｃｒｉｂｅｒ  Ｉｄｅｎｔｉｔｙ  Ｍｏｄｕｌｅ、ＳＩＭ )カードと呼ばれる端末デバイスの汎用集積回路カード( Ｕｎｉｖｅｒｓａｌ Ｉｎｔｅｇｒａｔｅｄ Ｃｉｒｃｕｉｔ Ｃａｒｄ、ＵＩＣＣ )に予め構成されてもよく、又は、ＳＩＭカード以外の端末デバイスの部分を指す端末デバイスのモバイルデバイス( Ｍｏｂｉｌｅ Ｅｑｕｉｐｍｅｎｔ、ＭＥ )に予め構成されてもよく、本願の実施例はこれに限定されない。この第２の構成情報は、動的シグナリング(例えば、物理層シグナリング)によりネットワークデバイスにより構成され得る。ユーザにより設定された動作モードは、ユーザが手動入力によって設定する動作モードであってもよく、例えば、ユーザは、端末デバイスをセルラーモバイルネットワークモード又は無線ローカルエリアネットワークモードで動作させるように設定してもよい。
【０００７】
第１の態様と結合し、第１の態様のある実現可能な方式において、前記第１の構成情報が第１の周波数ポイントセットの情報及び／又は第１の周波数優先度情報を含み、前記第２の構成情報が第２の周波数ポイントセットの情報及び／又は第２の周波数優先度情報を含む。
【０００８】
第１の態様と結合し、第１の態様のある実現可能な方式において、前記第２の周波数優先度情報は、前記ネットワークデバイスが前記端末デバイスの能力、加入者情報及び前記端末デバイスのプリファレンスのうちの少なくとも１つに基づいて決定し動的シグナリングを介して特定の端末デバイスに構成する。
【０００９】
そこで、本発明の実施例に係るセル選択方法は、ネットワークデバイスが、端末デバイスの能力、加入者情報、端末デバイスのプリファレンス等の情報に基づいて、端末デバイスに対する第２の構成情報を生成し、動的シグナリングにより端末デバイスに第２の構成情報を構成する。このように、本発明の実施例に係るセル選択方法は、前記ネットワークデバイスが特定の端末デバイスに特定の第２の構成情報を構成することにより、全ての端末デバイスに同一の第１の構成情報を一括に構成するよりも、端末デバイスのより合理的なセル選択又はセル再選択を実現することができる。
【００１０】
第１の態様と結合し、第１の態様のある実現可能な方式において、前記第２の周波数優先度情報の優先度が前記第１の周波数優先度情報の優先度よりも高く、前記ユーザーにより設定された動作モードの優先度が前記第１の構成情報及び前記第２の構成情報よりも高い。
【００１１】
つまり、ネットワークに構成された第２の構成情報の優先度が予め構成された第１の構成情報の優先度よりも高く、さらに、ユーザーにより設定された動作モードの優先度が前記第２の構成情報及び前記第１の構成情報の優先度よりも高い。
【００１２】
第１の態様と結合し、第１の態様のある実現可能な方式において、前記端末デバイスが、予め構成された第１の構成情報、ネットワークにより構成された第２の構成情報、及びユーザーにより設定された動作モードの少なくとも１つに基づいて、目標周波数ポイントを検索することは、
ユーザーにより設定された動作モードがアンライセンス周波数帯域のみでセル選択又はセル再選択を行うように指示する場合、前記端末デバイスが前記第１の周波数ポイントセット又は前記第２の周波数ポイントセットから、アンライセンス周波数帯域に属する周波数ポイントを目標周波数ポイントとして決定し、前記目標周波数ポイントを検索すること、又は、
動作モードがアンライセンス周波数帯域のみでセル選択又はセル再選択を行うようにユーザーにより設定されない場合、前記端末デバイスが前記第１の周波数ポイントセット又は前記第２の周波数ポイントセットに含まれるライセンス周波数帯域及びアンライセンス周波数帯域の周波数ポイントから、目標周波数ポイントを決定し、前記目標周波数ポイントを検索することを含む。
【００１３】
任意選択で、いくつかの実施例において、ユーザーにより設定された伝送モードは、アンライセンス周波数帯域の周波数ポイントの優先度がライセンス周波数帯域の周波数ポイント優先度よりも高く、又は、ライセンス周波数帯域の周波数ポイントの優先度がアンライセンス周波数帯域の周波数ポイント優先度よりも高いことを示し、本願の実施例がこれに限定されない。
【００１４】
第１の態様と結合し、第１の態様のある実現可能な方式において、前記第１の周波数優先度情報がライセンス周波数帯域及びアンライセンス周波数帯域の周波数ポイントの優先度の順番を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが前記第１の周波数ポイントセットからアンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第１の周波数ポイントセットから、ライセンス周波数帯域に属する周波数ポイントを目標周波数ポイントとして優先に決定し、前記目標周波数ポイントを検索することを含む。
【００１５】
第１の態様と結合し、第１の態様のある実現可能な方式において、前記第２の周波数優先度情報がライセンス周波数帯域及びアンライセンス周波数帯域の周波数ポイントの優先度を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが、前記第２の周波数ポイントセットから、アンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第２の周波数ポイントセットから、ライセンス周波数帯域に属する周波数ポイントを目標周波数ポイントとして優先に決定し、前記目標周波数ポイントを検索することを含む。
【００１６】
つまり、前記ネットワークデバイスが前記端末デバイスに前記第２の構成情報に構成しない場合、前記端末デバイスは、第１の構成情報とユーザーにより設定された動作モードに基づいて周波数ポイントの検索を行うことができる。
【００１７】
例えば、ユーザーが動作モードを設定しない場合、前記端末デバイスは、前記第１の周波数ポイントセットから、ライセンス周波数帯域又はアンライセンス周波数帯域の周波数ポイントを選択して周波数ポイント検索を行い、又は、ユーザーにより設定された動作モードがアンライセンス周波数帯域のみにおいてセル選択又はセル再選択を行うように指示する場合、前記端末デバイスは、前記第１の周波数ポイントセットから、アンライセンス周波数帯域の周波数ポイントを選択して周波数ポイント検索を行い、又は、ユーザーにより設定された動作モードがアンライセンス周波数帯域の周波数ポイントの優先度がライセンス周波数帯域の周波数ポイントの優先度よりも高いことを指示する場合、前記端末デバイスは、前記第１の周波数ポイントセットから、アンライセンス周波数帯域に属する周波数ポイントを優先に選択して周波数ポイント検索を行い、又は、ユーザーにより設定された動作モードがライセンス周波数帯域の周波数ポイントの優先度がアンライセンス周波数帯域の周波数ポイントの優先度よりも高いことを指示する場合、前記端末デバイスは、前記第１の周波数ポイントセットからライセンス周波数帯域に属する周波数ポイントを優先に選択して周波数ポイント検索を行う。
【００１８】
又は、前記ネットワークデバイスが前記端末デバイスに前記第２の構成情報を構成した場合、前記端末デバイスは、第２の構成情報及びユーザーにより設定された動作モードに基づいて周波数ポイント検索を行う。
【００１９】
例えば、ユーザーが動作モードを設定しない場合、前記端末デバイスは、前記第２の周波数ポイントセットから、ライセンス周波数帯域又はアンライセンス周波数帯域の周波数ポイントを選択して周波数ポイント検索を行い、又は、ユーザーにより設定された動作モードがアンライセンス周波数帯域のみにおいてセル選択又はセル再選択を行うように指示する場合、前記端末デバイスは、前記第２の周波数ポイントセットから、アンライセンス周波数帯域の周波数ポイントを選択して周波数ポイント検索を行い、又は、ユーザーにより設定された動作モードがアンライセンス周波数帯域の周波数ポイントの優先度がライセンス周波数帯域の周波数ポイントの優先度よりも高いことを指示する場合、前記端末デバイスは、前記第２の周波数ポイントセットから、アンライセンス周波数帯域に属する周波数ポイントを優先に選択して周波数ポイント検索を行い、又は、ユーザーにより設定された動作モードがライセンス周波数帯域の周波数ポイントの優先度がアンライセンス周波数帯域の周波数ポイントの優先度よりも高いことを指示する場合、前記端末デバイスは、前記第２の周波数ポイントセットからライセンス周波数帯域に属する周波数ポイントを優先に選択して周波数ポイント検索を行う。
【００２０】
第１の態様と結合し、第１の態様のある実現可能な方式において、前記方法は、さらに、
前記端末デバイスが前記目標周波数ポイントに対応する第１のセルのマスター情報ブロックＭＩＢを受信することを含み、前記ＭＩＢが指示情報を含み、前記指示情報は、前記第１のセルがプライマリーセル機能をサポートするかどうかを指示する。
【００２１】
第１の態様と結合し、第１の態様のある実現可能な方式において、前記目標周波数ポイントに対応するセルの状況に基づいて、セル選択又はセル再選択を行うことは、
前記端末デバイスが前記指示情報に基づいて、セル選択又はセル再選択を行うことを含む。
【００２２】
第１の態様と結合し、第１の態様のある実現可能な方式において、前記端末デバイスが前記指示情報に基づいてセル選択を行うことは、
前記情報が前記第１のセルがプライマリーセル機能をサポートするように指示する場合、前記端末デバイスが前記第１のセルの信号品質に基づいて前記第１のセルに常駐するかどうかを決定すること、又は、
前記指示情報が前記第１のセルがプライマリーセル機能をサポートしないように指示する場合、前記端末デバイスが前記第１のセルに常駐しないと決定することを含む。
【００２３】
第１の態様と結合し、第１の態様のある実現可能な方式において、前記方法は、さらに、
前記端末デバイスが前記目標周波数ポイントに対応する第１のセルのシステム情報ブロックＳＩＢを受信することを含み、前記ＳＩＢがセル再選択条件を含み、前記セル再選択条件が隣接セルと現在セルの信号品質の差の閾値を含み、前記端末デバイスが前記指示情報に基づいてセル再選択を行うことは、
前記指示情報が前記第１のセルがプライマリーセル機能をサポートするように指示する場合、前記端末デバイスが前記第１のセルの信号品質と前記端末デバイスの現在常駐する第２のセルの信号品質との差が前記信号品質の差の閾値を超えるかどうかに基づいて、前記第２のセルから前記第１のセルへの再選択を行うかどうかを決定すること、又は、
前記指示情報が前記第１のセルがプライマリーセル機能をサポートしないように指示する場合、前記端末デバイスが前記第２のセルから前記第１のセルへの再選択を行わないと決定することを含む。
【００２４】
第１の態様と結合し、第１の態様のある実現可能な方式において、前記端末デバイスがセル再選択を行う必要があると決定した後、前記方法は、さらに、
前記第２の周波数優先度がアンライセンス周波数帯域の周波数ポイントの優先度がライセンス周波数帯域の周波数ポイントの優先度よりも高いことを指示する場合、アンライセンス周波数帯域の同じ周波数ポイント又は異なる周波数ポイントの他セルにおいてセル再選択を行うこと、又は、
前記第２の周波数優先度がライセンス周波数帯域の周波数ポイントの優先度がアンライセンス周波数帯域の周波数ポイントの優先度よりも高いことを示す場合、ライセンス周波数帯域の同じ周波数ポイントセル又は異なる周波数ポイントの他セルにおいてセル再選択を行うことを含む。
【００２５】
第２の態様は、セル選択方法を提供し、 
ネットワークデバイスが、端末デバイスの能力、加入者情報、及び前記端末デバイスのうちの少なくとも１つに基づいて、第２の構成情報を決定することと、
前記ネットワークデバイスが前記端末デバイスに前記第２の構成情報を送信することとを含む。
【００２６】
第３の態様は、上記の第１の態様または第１の態様の任意の可能な実装における方法を実行するための端末デバイスを提供する。具体的に、このデバイスは、上記の第１の態様または第１の態様の任意の可能な実施態様における方法を実行するためのユニットを含む。
【００２７】
第４の態様は、メモリと、プロセッサと、入力インターフェースと、出力インターフェースとを有する端末デバイスを提供する。ここで、メモリ、プロセッサ、入力インターフェース、出力インターフェースは、バスシステムを介して接続される。メモリは、命令を記憶するために使用され、プロセッサは、メモリに記憶された命令を実行して、第１の態様または第１の態様の任意の可能な実装形態で上述の方法を実行するために使用される。
【００２８】
第５の態様は、上記の第２の態様または第２の態様の任意の可能な実装における方法を実行するためのネットワークデバイスを提供する。具体的に、このデバイスは、上記の第２の態様または第２の態様の任意の可能な実施態様における方法を実行するためのユニットを含む。 
第６の発明は、メモリと、プロセッサと、入力インターフェースと、出力インターフェースとを備えるネットワークデバイスを提供する。メモリ、プロセッサ、入力インターフェース、出力インターフェースは、バスシステムを介して接続される。メモリは、命令を記憶するために使用され、プロセッサは、メモリに記憶された命令を実行して、上述の第２の態様または第２の態様の可能な実施のいずれかにおける方法を実行するために使用される。
【００２９】
第７の態様は、上記の第１の態様または第１の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００３０】
第８の態様は、命令を備えるコンピュータプログラム製品を提供し、コンピュータ上で実行されると、コンピュータに、上記の第１の態様または第１の態様の任意の実施態様における方法を実行させる。
【００３１】
第９の態様は、上記の第２の態様または第２の態様の可能な実装のいずれかを実行するための方法を実行するためのコンピュータソフトウェア命令を記憶するためのコンピュータ記憶媒体を提供し、上記の態様を実行するように設計されたプログラムを含む。
【００３２】
第１０の態様は、命令を備えるコンピュータプログラム製品を提供し、コンピュータ上で実行されると、コンピュータに、上述の第２の態様または第２の態様の任意の実施態様における方法を実行させる。
【図面の簡単な説明】
【００３３】
【図１】本願の実施例の応用シーンの模式図である。
【図２】本願の実施例におけるセル選択方法のフローチャートである。
【図３】本願の他の実施例におけるセル選択方法のフローチャートである
【図４】本願の他の実施例におけるセル選択方法のフローチャートである
【図５】本願の実施例における端末デバイスのブロック図である。
【図６】本願の実施例におけるネットワークデバイスのブロック図である。
【図７】本願の他の実施例における端末デバイスのブロック図である。
【図８】本願の他の実施例におけるネットワークデバイスのブロック図である。
【発明を実施するための形態】
【００３４】
以下、本発明の実施例について図面を参照して説明する。 
本願の実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )システム、Ｃｏｄｅ Ｄｉｖｉｓｉｏｎ Ｍｕｌｔｉｐｌｅ Ａｃｃｅｓｓ ( ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )システム、Ｇｅｎｅｒａｌ Ｐａｃｋｅｔ Ｒａｄｉｏ Ｓｅｒｖｉｃｅ ( ＧＰＲＳ )システム、Ｌｏｎｇ Ｔｅｒｍ Ｅｖｏｌｕｔｉｏｎ ( ＬＴＥ )システム、Ｆｒｅｑｕｅｎｃｙ Ｄｉｖｉｓｉｏｎ Ｄｕｐｌｅｘ （ ＦＤＤ )システム、Ｔｉｍｅ  Ｄｉｖｉｓｉｏｎ  Ｄｕｐｌｅｘ ( ＴＤＤ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )システム、将来の５Ｇシステム等の移動通信システム等に適用することができる。
【００３５】
図１は、本願の実施例が適用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００３６】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の5Ｇネットワークにおける端末デバイス、または将来開発されるＰＬＭＮにおける端末デバイスなどであり得る。
【００３７】
ＬＴＥシステムにおけるＬＡＡメカニズムは、Ｓｃｅｌｌをアンライセンス周波数帯域にのみ構成し、これにより、端末デバイスがアンライセンス周波数帯域上に常駐できなく、５Ｇの新しいラジオ( Ｎｅｗ Ｒａｄｉｏ、ＮＲ )における計画化は、アンライセンス周波数帯域へのサポートを導入し、２つのシーンの実現を考慮し、１つのシーンは、ライセンス周波数帯域上のＰＣｅｌｌおよびアンライセンス周波数帯域上のＳＣｅｌｌを実現し、もう１つシーンは、アンライセンス周波数帯域上のＰＣｅｌｌおよびライセンス周波数帯域上のＳＣｅｌｌを実現する。したがって、あるシーンでは、アンライセンスリソースに対応するセルは、プライマリーセル機能をサポートすることもでき、すなわち、端末デバイスは、アンライセンスリソースに対応するセルに常駐することもでき、または、ライセンスリソースに対応するセルに常駐することもでき、したがって、ライセンスリソースおよびアンライセンスリソースにわたる端末デバイスのセル選択またはセル再選択をどのように実現するかは、研究すべき問題である。
【００３８】
本発明は、上記に鑑み、端末デバイスにおけるセル選択又はセル再選択を、ライセンスリソース及びアンライセンスリソースの双方において実現することが可能なセル選択方法を提供する。
【００３９】
図２は、本願の実施例によって提供される方法２００が、図１に示される通信システム１００の端末デバイスによって実行され得ることを示しており、図２に示されるように、方法２００は、以下のものを含み得る
Ｓ２１０において、端末デバイスが、予め構成された第１の構成情報、ネットワークが動的シグナリングを利用して構成した第２の構成情報、及びユーザーにより設定された動作モードのうちの少なくとも１つに基づいて、目標周波数ポイントを検索し、
Ｓ２２０において、前記目標周波数ポイントでのセルの状況に基づいて、セル選択又はセル再選択を行う。
【００４０】
なお、本願の実施例において、第１の構成情報は、加入者識別モジュール( Ｓｕｂｓｃｒｉｂｅｒ Ｉｄｅｎｔｉｔｙ Ｍｏｄｕｌｅ、ＳＩＭ )カードと呼ばれる端末デバイスの汎用集積回路カード( Ｕｎｉｖｅｒｓａｌ Ｉｎｔｅｇｒａｔｅｄ Ｃｉｒｃｕｉｔ Ｃａｒｄ、ＵＩＣＣ )に予め構成されていてもよいし、端末デバイスのモバイル機器( Ｍｏｂｉｌｅ Ｅｑｕｉｐｍｅｎｔ、ＭＥ )に予め構成されていてもよく、ここで、端末デバイスのＭＥは、ＳＩＭカード以外の端末デバイスの部分を指し、本願の実施例はこれに限定されない。第２の構成情報は、動的シグナリング(例えば、物理層シグナリング)を介してネットワークデバイスにより構成され得る。ユーザが設定する動作モードは、ユーザが手動入力によって設定する動作モードであってもよく、例えば、ユーザは、端末デバイスをセルラーモバイルネットワークモード又は無線ローカルエリアネットワークモードで動作させるように設定してもよい。
【００４１】
任意選択、本願の実施例において、端末デバイスは、現在、パワーオン状態又はアイドル（ＩＤＬＥ）状態にあるとき、予め構成された第１の構成情報に従ってセル選択を行ってもよいし、ユーザが手動で端末デバイスの動作モードを設定した場合、ユーザが設定した動作モードに従ってセル選択を行ってもよい。あるいは、端末デバイスが現在で接続状態にある場合に、動的シグナリングによってネットワークデバイスが構成した第２の構成情報を端末デバイスが受信した場合には、その第２の構成情報に従ってセル再選択を行ってもよいし、ユーザが手動で端末デバイスの動作モードを設定した場合には、ユーザが設定した動作モードに従ってセル再選択を行ってもよい。 
つまり、ユーザーにより設定された動作モードの優先度が予め構成された第１の構成情報及びネットワークデバイスにより動的シグナリングを介して構成した第２の構成情報の優先度よりも高い。ユーザーが動作モードを設定した場合、前記端末デバイスは、ユーザーにより設定された動作モードに基づいて、セル選択又はセル再選択を優先に行い、ユーザーが手動でこの端末デバイスの動作モードを設定しない場合、前記端末デバイスは、前記第１の構成情報又は前記第２の構成情報に基づいて、セル選択又はセル再選択を行う。例えば、端末デバイスがパワーオン状態又はアイドル（ＩＤＬＥ）状態にあり、ネットワークデバイスにより構成された第２の構成情報を受信しない場合、前記端末デバイスは、前記第１の構成情報に基づいて、セル選択又はセル再選択を行う。又は、端末デバイスが接続状態にあり、前記端末デバイスがネットワークデバイスが動的シグナリングを介して構成した第２の構成情報を受信した場合、前記端末デバイスは、前記第２の構成情報に基づいて、セル選択又はセル再選択を優先に行い、前記第１の構成情報と前記第２の構成情報がともに存在する場合、前記端末デバイスは、ネットワークデバイスにより構成された第２の構成情報に基づいて、セル選択又はセル再選択を優先に行う。
【００４２】
本願の実施例において、前記第１の構成情報は、第１の周波数ポイントセットの情報及び／又は第１の周波数優先度情報、前記第２の構成情報が第２の周波数ポイントセットの情報及び／又は第２の周波数優先度情報を含むことができる。
【００４３】
具体的には、第１の周波数ポイントセットは、予め構成された第１の構成情報に含まれてもよく、第１の構成情報における少なくとも１つの周波数ポイントの位置は、均等であってもよく、すなわち、優先順位はなくてもよく、または、少なくとも１つの周波数ポイントは、優先順位を有することもでき、前記第１の周波数優先度情報は、少なくとも１つの周波数ポイントの優先順位を示すために使用されてもよい。例えば、この第１周波数優先度情報は、アンライセンス周波数帯域の周波数ポイントの優先度がライセンス周波数帯域の周波数ポイントの優先度よりも高く、又は、ライセンス周波数帯域の周波数ポイントの優先度がアンライセンス周波数帯域の周波数ポイントの優先度よりも高いことを示してもよい。
【００４４】
同様に、ネットワークデバイスにより構成された第２の構成情報は、第２の周波数ポイントセットも含み得、この第２の周波数ポイントセットに含まれる少なくとも１つの周波数ポイントの順位は、均等であり得、すなわち、優先順位付けられなく、または、少なくとも１つの周波数ポイントは、優先順位を有することもでき、第２の周波数優先度情報は、第２の周波数ポイントセットにおける少なくとも１つの周波数ポイントの優先順位を示すために使用され得る。例えば、第２周波数優先度情報は、アンライセンス周波数帯域の周波数ポイントの優先度がライセンス周波数帯域の周波数ポイントの優先度よりも高く、又は、ライセンス周波数帯域の周波数ポイントの優先度がアンライセンス周波数帯域の周波数ポイントの優先度よりも高いことを示してもよい。
【００４５】
なお、本願の実施例において、予め構成された第１の構成情報は、複数の端末デバイスに対して共通に構成されているものであり、異なる能力又は構成の端末デバイスに適用されない可能性があり、すなわち、特定の端末デバイスに適用されない場合がある。また、ネットワークにより構成された第２の構成情報は、特定の端末デバイスの能力、加入者情報、端末デバイスのプリファレンス等の情報を組み合わせて決定するものであり、ネットワークデバイスは、異なる端末デバイスの能力、加入者情報、端末デバイスが現在存在するネットワークの周波数配置等の情報に基づいて、特定の端末デバイスの第２の構成情報を決定し、動的シグナリングにより特定の端末デバイスに構成することができる。ネットワークデバイスが決定する特定の端末デバイスのための第２の構成情報は、一括に構成された第１の構成情報よりも妥当性が高いため、端末デバイスの妥当なセル選択又はセル再選択を実現することができる。
【００４６】
任意選択で、実施例として、Ｓ２１０は、具体的に、
ユーザーにより設定された動作モードがアンライセンス周波数帯域のみでセル選択又はセル再選択を行うように指示する場合、前記端末デバイスが前記第１の周波数ポイントセット又は前記第２の周波数ポイントセットから、アンライセンス周波数帯域に属する周波数ポイントを目標周波数ポイントとして決定し、前記目標周波数ポイントを検索すること、又は、
動作モードがアンライセンス周波数帯域のみでセル選択又はセル再選択を行うようにユーザーにより設定されない場合、前記端末デバイスが前記第１の周波数ポイントセット又は前記第２の周波数ポイントセットに含まれるライセンス周波数帯域及びアンライセンス周波数帯域の周波数ポイントから、目標周波数ポイントを決定し、前記目標周波数ポイントを検索することを含む。
【００４７】
具体的に、ユーザーデバイスの動作モードの優先度が前記第１の構成情報の優先度よりも高いため、ユーザーにより設定された動作モードがアンライセンス周波数帯域のみでセル選択又はセル再選択を行うように指示する場合、前記端末デバイスは、前記第１の周波数セットから、アンライセンス周波数帯域に属する周波数ポイントを目標周波数ポイントとして決定し、前記目標周波数ポイントを検索し、又は、前記端末デバイスは、前記第２の周波数セットから、アンライセンス周波数帯域に属する周波数ポイントを目標周波数ポイントとして決定し、前記目標周波数ポイントを検索しても良い。ある具体的な実施例において、端末デバイスがパワーオン状態又はアイドル（ＩＤＬＥ）状態にあり、ユーザーにより設定された動作モードがアンライセンス周波数帯域のみでセル選択を行うように指示する場合、前記端末デバイスは、前記第１の周波数ポイントセットから、アンライセンス周波数帯域に属する周波数ポイントを目標周波数ポイントとして決定し、又は、前記端末デバイスが接続状態にあり、ユーザーにより設定された動作モードがアンライセンス周波数帯域のみでセル再選択を行うように指示する場合、前記端末デバイスは、前記第２の周波数ポイントセットから、アンライセンス周波数帯域に属する周波数ポイントを目標周波数ポイントとして決定してもよい。
【００４８】
ユーザーが端末デバイスの動作モードを行わない場合、端末デバイスは、第１の構成情報又は第２の構成情報に基づいて、セル選択又はセル再選択を行い、即ち、ユーザーがどの周波数帯域の優先度がより高いことを指示しない場合、ライセンス周波数帯域の周波数ポイントとアンライセンス周波数帯域の周波数ポイントの優先度とが同じであり、前記端末デバイスは、前記第１の周波数ポイントセット又は前記第２の周波数ポイントセットから、ライセンス周波数帯域の周波数ポイント又はアンライセンス周波数帯域の周波数ポイントを選択して検索を行い、例えば、前記端末デバイスは、前記第１の周波数ポイントセット又は前記第２の周波数ポイントセットから、選択１つ以上の周波数ポイントをランダムに選択して周波数ポイント検索を行う。例えば、前記端末デバイスは、パワーオン状態又はアイドル（ＩＤＬＥ）状態にある場合、前記第１の周波数ポイントセットから、ライセンス周波数帯域の周波数ポイント又はアンライセンス周波数帯域の周波数ポイントを選択して検索し、又は、前記端末デバイスは、接続状態にある場合、前記第２の周波数ポイントセットから、ライセンス周波数帯域の周波数ポイント又はアンライセンス周波数帯域の周波数ポイントを選択して検索しても良い。
【００４９】
任意選択で、いくつかの実施例において、ユーザーにより設定された伝送モードは、アンライセンス周波数帯域の周波数ポイントの優先度がライセンス周波数帯域の周波数ポイント優先度よりも高く、又は、ライセンス周波数帯域の周波数ポイントの優先度がアンライセンス周波数帯域の周波数ポイント優先度よりも高いこと等を示すが、本願の実施例がこれに限定されない。
【００５０】
任意選択で、他の実施例において、前記第１の周波数優先度情報がライセンス周波数帯域及びアンライセンス周波数帯域の周波数ポイントの優先度の順番を示し、この場合、Ｓ２１０は、
アンライセンス周波数帯域の周波数ポイントの優先度がライセンス周波数帯域の周波数ポイント優先度よりも高い場合、前記端末デバイスは、前記第１の周波数ポイントセットから、アンライセンス周波数帯域に属する周波数ポイントを目標周波数ポイントとして優先に決定し、又は、
ライセンス周波数帯域の周波数ポイントの優先度がアンライセンス周波数帯域の周波数ポイント優先度よりも高い場合、前記端末デバイスは、前記第１の周波数ポイントセットから、ライセンス周波数帯域に属する周波数ポイントを目標周波数ポイントとして優先に決定することを含む。
【００５１】
具体的に、前記第１の構成情報内の第１の周波数優先度情報は、ライセンス周波数帯域及びアンライセンス周波数帯域の周波数ポイントの優先度の順番を示し、即ち、前記第１の周波数優先度情報は、前記第１の周波数ポイントセットの周波数ポイントの優先度の順番を示す。前記端末デバイスがユーザーの設定又は前記第１の周波数優先度情報に基づいて、アンライセンス周波数帯域の周波数ポイントの優先度がライセンス周波数帯域の周波数ポイントの優先度よりも高いと決定する場合、前記端末デバイスは、前記第１の周波数ポイントセットから、アンライセンス周波数帯域の周波数ポイントを目標周波数ポイントとして選択し、周波数ポイントを検索する。又は、前記端末デバイスがユーザーの設定又は前記第１の周波数優先度情報に基づいてライセンス周波数帯域の周波数ポイントの優先度がアンライセンス周波数帯域の周波数ポイントの優先度よりも高いと決定する場合、前記端末デバイスは、前記第１の周波数ポイントセットから、ライセンス周波数帯域の周波数ポイントを目標周波数ポイントとして選択し、周波数ポイントを検索する。
【００５２】
任意選択で、他の実施例において、ネットワークデバイスが前記端末デバイスに前記第２の構成情報を構成した場合、前記第２の構成情報内の第２の周波数優先度情報は、ライセンス周波数帯域及びアンライセンス周波数帯域の周波数ポイントの優先度を示し、この場合、Ｓ２１０は、
アンライセンス周波数帯域の周波数ポイントの優先度がライセンス周波数帯域の周波数ポイント優先度よりも高い場合、前記端末デバイス前記第２の周波数ポイントセットから、アンライセンス周波数帯域に属する周波数ポイントを目標周波数ポイントとして優先に決定し、又は、
ライセンス周波数帯域の周波数ポイントの優先度がアンライセンス周波数帯域の周波数ポイント優先度よりも高い場合、前記端末デバイス前記第２の周波数ポイントセットから、ライセンス周波数帯域に属する周波数ポイントを目標周波数ポイントとして優先に決定することを含む。
【００５３】
具体的に、ネットワークデバイスが前記端末デバイスに前記第２の構成情報を構成した場合、前記第２の周波数優先度情報がライセンス周波数帯域及びアンライセンス周波数帯域の周波数ポイントの優先度を示し、即ち、前記第２の周波数優先度情報は、前記第２の周波数ポイントセット内の周波数ポイントの優先度の順番を示す。この場合、前記端末デバイスがユーザーの設定又は前記第２の周波数優先度情報に基づいてアンライセンス周波数帯域の周波数ポイントの優先度がライセンス周波数帯域の周波数ポイントの優先度よりも高いと決定する場合、前記端末デバイスは、前記第２の周波数ポイントセットから、アンライセンス周波数帯域の周波数ポイントを目標周波数ポイントとして優先に選択し、周波数ポイント検索を行う。又は、前記端末デバイスがユーザーの設定又は前記第２の周波数優先度情報に基づいてライセンス周波数帯域の周波数ポイントの優先度がアンライセンス周波数帯域の周波数ポイントの優先度よりも高いと決定する場合、前記端末デバイスは、前記第２の周波数ポイントセットから、ライセンス周波数帯域の周波数ポイントを目標周波数ポイントとして優先に選択し、周波数ポイントを検索する。
【００５４】
以上のように、前記ネットワークデバイスが前記端末デバイスに前記第２の構成情報を構成しない場合、前記端末デバイスは、第１の構成情報及びユーザーにより設定された動作モードに基づいて周波数ポイント検索を行っても良い。具体的に、ユーザーが動作モードを設定しない場合、前記端末デバイスは、前記第１の周波数ポイントセットから、ライセンス周波数帯域又はアンライセンス周波数帯域の周波数ポイントを選択して周波数ポイントを検索し、又は、ユーザーにより設定された動作モードがアンライセンス周波数帯域のみにおいてセル選択又はセル再選択を行うように指示する場合、前記端末デバイスは、前記第１の周波数ポイントセットから、アンライセンス周波数帯域の周波数ポイントを選択して周波数ポイントを検索し、又は、ユーザーにより設定された動作モードがアンライセンス周波数帯域の周波数ポイントの優先度がライセンス周波数帯域の周波数ポイントの優先度よりも高いことを示す場合、前記端末デバイスは、前記第１の周波数ポイントセットから、アンライセンス周波数帯域に属する周波数ポイントを優先に選択して周波数ポイントを検索し、又は、ユーザーにより設定された動作モードがライセンス周波数帯域の周波数ポイントの優先度がアンライセンス周波数帯域の周波数ポイントの優先度よりも高いことを示す場合、前記端末デバイスは、前記第１の周波数ポイントセットから、ライセンス周波数帯域に属する周波数ポイントを優先に選択して周波数ポイントを検索する。
【００５５】
同様に、前記ネットワークデバイスが前記端末デバイスに前記第２の構成情報を構成した場合、前記端末デバイスは、第２の構成情報及びユーザーにより設定された動作モードに基づいて周波数ポイント検索を行う。具体的に、ユーザーが動作モードを設定しない場合、前記端末デバイスは、前記第２の周波数ポイントセットから、ライセンス周波数帯域又はアンライセンス周波数帯域の周波数ポイントを選択して周波数ポイントを検索し、又は、ユーザーにより設定された動作モードがアンライセンス周波数帯域のみにおいてセル選択又はセル再選択を行うように指示する場合、前記端末デバイスは、前記第２の周波数ポイントセットから、アンライセンス周波数帯域の周波数ポイントを選択して周波数ポイントを検索し、又は、ユーザーにより設定された動作モードがアンライセンス周波数帯域の周波数ポイントの優先度がライセンス周波数帯域の周波数ポイントの優先度よりも高いことを示す場合、前記端末デバイスは、前記第２の周波数ポイントセットから、アンライセンス周波数帯域に属する周波数ポイントを優先に選択して周波数ポイントを検索し、又は、ユーザーにより設定された動作モードがライセンス周波数帯域の周波数ポイントの優先度がアンライセンス周波数帯域の周波数ポイントの優先度よりも高いことを示す場合、前記端末デバイスは、前記第２の周波数ポイントセットからライセンス周波数帯域に属する周波数ポイントを優先に選択して周波数ポイントを検索する。
【００５６】
以下、端末デバイスが検索した周波数ポイントに対応するセルの状況に応じて、セル選択やセル再選択をどのように行うかについて詳細に説明する。
【００５７】
シーン１：セル選択シーン
シーン１において、端末デバイスが前記目標周波数ポイントに対応する第１のセルのマスター情報ブロックＭＩＢを受信し、前記ＭＩＢが指示情報を含み、前記指示情報は、前記第１のセルがプライマリーセル機能をサポートするかどうかを指示する。
【００５８】
具体的には、端末デバイスが、決定された目標周波数ポイントに基づいて周波数ポイント検索を行い、目標周波数ポイント上の第１のセルを検索した場合、この第１のセルから、プライマリー同期信号(  Ｐｒｉｍａｒｙ  Ｓｙｎｃｈｒｏｎｉｚａｔｉｏｎ  Ｓｉｇｎａｌ、ＰＳＳ  )、セカンダリ同期信号( Ｓｅｃｏｎｄａｒｙ Ｓｙｎｃｈｒｏｎｉｚａｔｉｏｎ Ｓｉｇｎａｌ、ＳＳＳ )及び他の下り信号を含み得る同期信号ブロック( Ｓｙｎｃｈｒｏｎｉｚａｔｉｏｎ Ｓｉｇｎａｌ ｂｌｏｃｋ、ＳＳ ｂｌｏｃｋ )を受信し、端末デバイスは、このＳＳ ｂｌｏｃｋに従って、下り同期を行い、更に、端末デバイスは、他のシステム情報、例えば、マスター情報ブロック( Ｍａｓｔｅｒ Ｉｎｆｏｒｍａｔｉｏｎ Ｂｌｏｃｋ、ＭＩＢ )及び残りの最小システム情報( Ｒｅｍａｉｎｉｎｇ Ｍｉｎｉｍｕｍ Ｓｙｓｔｅｍ Ｉｎｆｏｒｍａｔｉｏｎ、ＲＭＳＩ )を受信することができる。本願の実施例において、ＭＩＢは、指示情報を含み、この指示情報は、第１のセルがプライマリーセル機能をサポートするか否か、または、第１のセルがスタンドアロン( ｓｔａｎｄａｌｏｎｅ ｏｐｅｒａｔｉｏｎ )動作をサポートするか否かを示す。この指示情報は、１ビットの指示情報であってもよく、例えば、１ビットの指示情報を０とすることは、第１のセルがプライマリーセル機能をサポートしないことを示し、１ビットの指示情報を１とすることは、第１のセルがプライマリーセル機能をサポートすることを示す。
【００５９】
ケース１：前記指示情報は、前記第１のセルがプライマリーセル機能をサポートすることを示す。
【００６０】
この場合、端末デバイスは、第１のセルへの常駐を試みることができる。具体的には、端末デバイスは、第１のセルのＳＳ ｂｌｏｃｋに基づいて測定し、この第１のセルの信号品質を決定し、この第１のセルの信号品質から第１のセルに常駐しているか否かを決定できる。例えば、端末デバイスは、第１のセルの信号品質が常駐閾値に達した場合に、第１のセルへの常駐を決定し、第１のセルの信号品質が常駐閾値に達しなかった場合に、第１のセルへの常駐を決定しない。さらに、前記端末デバイスは、他の周波数ポイントを検索し、他の周波数ポイントに対応するセルの状況に応じて、セル選択を行うようにしてもよい。
【００６１】
ケース２：前記指示情報は、前記第１のセルがプライマリーセル機能をサポートしていないことを示す。
【００６２】
この場合、端末デバイスは、第１のセルの測定及び常駐を試みてなく、さらに、他の周波数ポイントを探索し、他の周波数ポイントに対応するセルの状況に応じてセル選択を行うこともできる。
【００６３】
シーン２：セル再選択シーン
シーン２において、前記方法２００は、
前記端末デバイスが前記目標周波数ポイントに対応する第１のセルのマスター情報ブロックＭＩＢを受信することを含み、前記ＭＩＢが指示情報を含み、前記指示情報は、前記第１のセルがプライマリーセル機能をサポートするかどうかを指示する。
【００６４】
具体的には、端末デバイスが、決定された目標周波数ポイントに基づいて周波数ポイント検索を行い、目標周波数ポイント上の第１のセルを検索した場合、この第１のセルから、ＰＳＳ、ＳＳＳ及び他の下り信号を含み得る同期信号ブロックＳＳ ｂｌｏｃｋを受信し、端末デバイスは、このＳＳ ｂｌｏｃｋに従って、下り同期を行い、更に、端末デバイスは、他のシステム情報、例えば、ＭＩＢ及びＲＭＳＩを受信することができる。任意選択で、このＭＩＢは、指示情報を含み、この指示情報は、第１のセルがプライマリーセル機能をサポートするか否か、または、第１のセルがスタンドアロン( ｓｔａｎｄａｌｏｎｅ ｏｐｅｒａｔｉｏｎ )動作をサポートするか否かを示す。この指示情報は、１ビットの指示情報であってもよく、例えば、１ビットの指示情報を０とすることは、第１のセルがプライマリーセル機能をサポートしないことを示し、１ビットの指示情報を１とすることは、第１のセルがプライマリーセル機能をサポートすることを示す。
【００６５】
さらに、前記方法２００は、さらに、
前記端末デバイスが前記目標周波数ポイントに対応する第１のセルのシステム情報ブロックＳＩＢを受信することを含み、前記ＳＩＢがセル再選択条件を含み、前記セル再選択条件が隣接セルと現在セルの信号品質の差の閾値を含み、この場合、前記端末デバイスは、前記指示情報及びセル再選択条件に基づいてセル再選択を行う。
【００６６】
具体的に、前記端末デバイスが現在第２のセル（即ち現在セル）に常駐する場合、前記端末デバイスは、前記第１のセルがプライマリーセル機能をサポートするかどうか及び前記第１のセルと前記第２のセルと信号品質との差が前記信号品質の差の閾値を超えるかどうかに基づいて、前記第２のセルから前記第１のセルへの再選択するかどうかを決定する。ある実施例において、前記指示情報が前記第１のセルがプライマリーセル機能をサポートしないように指示する場合、前記端末デバイスが前記第２のセルから前記第１のセルへの再選択を行わないと決定し、又は、前記第１のセルが前記プライマリーセル機能をサポートする場合、さらに、前記端末デバイスが前記第１のセルのＳＳ ｂｌｏｃｋを測定し、第１のセルの信号品質を決定し、次に、前記第１のセルの信号品質と前記第２のセルの信号品質との差及び前記セル再選択条件の信号品質閾値との関係に基づいて、前記第１のセルへの再選択するかどうかを決定する。例えば、前記端末デバイスは、前記第１のセルの信号品質から前記第２のセルの信号品質を減算した差が前記信号品質閾値の以上である場合、前記第２のセルから前記第１のセルへの再選択すると決定し、そうでない場合、前記第２のセルから第１のセルへの再選択しないと決定する。
【００６７】
さらに、前記端末デバイスが前記第２のセルから前記第１のセルへの再選択しないと決定する場合、前記端末デバイスは、他の周波数ポイントを継続して検索し、他の周波数ポイントのセルの情報に応じて、セル再選択を行っても良い。例えば、ネットワークデバイスにより構成された第２の周波数優先度情報がアンライセンス周波数帯域の周波数ポイントの優先度がライセンス周波数帯域の周波数ポイントの優先度よりも高いことを示す場合、前記端末デバイスアンライセンス周波数帯域の同じ周波数ポイント又は異なる周波数ポイントの他セルにおいてセル再選択を行い、又は、前記第２の周波数優先度がライセンス周波数帯域の周波数ポイントの優先度がアンライセンス周波数帯域の周波数ポイントの優先度よりも高いことを示す場合、前記端末デバイスライセンス周波数帯域の同じ周波数ポイントセル又は異なる周波数ポイントの他セルにおいてセル再選択を行う。
【００６８】
本発明の一実施例に係るセル選択方法は、図２を参照して端末デバイスから詳細に説明したが、本発明の他の実施例に係るセル選択方法は、図３を参照してネットワークデバイスから詳細に説明する。なお、ネットワークデバイス側の説明と端末デバイス側の説明は、互いに対応しており、同様の説明は、上記を参照してもよく、重複を避けるためにここで説明を省略する。
【００６９】
図３は、本発明の別の実施形態によるセルを選択する方法３００のフローチャートを示し、図１に示す通信システムにおける端末デバイスによって実行され、図３に示すように、方法３００は以下のステップを含む。
【００７０】
Ｓ３１０において、ネットワークデバイスが、端末デバイスの能力、加入者情報、及び前記端末デバイスのうちの少なくとも１つに基づいて、第２の構成情報を決定し、
Ｓ３２０において、前記ネットワークデバイスが前記端末デバイスに前記第２の構成情報を送信する。
【００７１】
図４は、本発明の一実施例によるデバイス間から説明されるセル選択方法を示し、図４に示すように、この方法２０は以下のステップを含む。
【００７２】
Ｓ２１において、端末デバイスがネットワークデバイスに前記端末デバイスの能力、プリファレンス等の情報を報告し、
Ｓ２２において、前記ネットワークデバイスが端末デバイスから報告された情報に基づいて、第２の構成情報を決定し、動的シグナリングを介して前記端末デバイスに前記第２の構成情報を送信する。
【００７３】
例えば、前記動的シグナリングが物理層シグナリングである。
【００７４】
このように、本願の実施例におけるセル選択方法は、端末デバイスが、自身の能力やプリファレンス等の情報をネットワークデバイスに報告することができ、ネットワークデバイスは、端末デバイスから報告された上記情報に基づいて、当該端末デバイスのための第２の構成情報を生成し、動的シグナリングを介してこの第２の構成情報を当該端末デバイスに構成する。このように、本発明の実施例に係るセル選択方法は、特定の端末デバイスに特定の第２の構成情報を設定することにより、全ての端末デバイスに同一の第１の構成情報を一括に設定するよりも、端末デバイスのより合理的なセル選択又はセル再選択を実現することができる。
【００７５】
本発明の開示の方法の実施形態が図２〜図４に参照して説明され、本発明の開示の装置の実施形態が図５〜図８に関連して以下に詳細に説明され、なお、装置の実施形態と方法の実施形態とは互いに対応し、同様の説明は方法の実施形態を参照し得る。
【００７６】
図５は本願の実施例における端末デバイス５００のブロック図を示す。図５に示すように、該端末デバイス５００は、検索モジュール５１０及び選択モジュール５２０を含み、
検索モジュール５１０は、予め構成された第１の構成情報ネットワークが動的シグナリングを利用して構成した第２の構成情報及びユーザーにより設定された動作モードのうちの少なくとも１つに基づいて、目標周波数ポイントを検索するように構成され、
選択モジュール５２０は、前記目標周波数ポイントでのセルの状況に基づいて、セル選択又はセル再選択を行うように構成される。
【００７７】
任意選択で、いくつかの実施例において、前記第１の構成情報が第１の周波数ポイントセットの情報及び／又は第１の周波数優先度情報を含み、前記第２の構成情報が第２の周波数ポイントセットの情報及び／又は第２の周波数優先度情報を含む。
【００７８】
任意選択で、いくつかの実施例において、前記第２の周波数優先度情報は、前記ネットワークデバイスが前記端末デバイスの能力、加入者情報及び前記端末デバイスのプリファレンスのうちの少なくとも１つに基づいて決定し動的シグナリングを介して特定の端末デバイスに構成する。
【００７９】
任意選択で、いくつかの実施例において、前記第２の周波数優先度情報の優先度が前記第１の周波数優先度情報の優先度よりも高く、前記ユーザーにより設定された動作モードの優先度が前記第１の構成情報及び前記第２の構成情報よりも高い。
【００８０】
任意選択で、いくつかの実施例において、前記検索モジュール５１０は、具体的に、
ユーザーにより設定された動作モードがアンライセンス周波数帯域のみにおいてセル選択又はセル再選択を行うように指示する場合、前記第１の周波数ポイントセット又は前記第２の周波数ポイントセットから、アンライセンス周波数帯域に属する周波数ポイントを目標周波数ポイントとして決定し、前記目標周波数ポイントを検索し、又は、
動作モードがアンライセンス周波数帯域のみでセル選択又はセル再選択を行うようにユーザーにより設定されない場合、前記第１の周波数ポイントセット又は前記第２の周波数ポイントセットに含まれるライセンス周波数帯域及びアンライセンス周波数帯域の周波数ポイントから目標周波数ポイントを決定し、前記目標周波数ポイントを検索するように構成される。
【００８１】
任意選択で、いくつかの実施例において、前記第１の周波数優先度情報がライセンス周波数帯域及びアンライセンス周波数帯域の周波数ポイントの優先度の順番を示し、前記検索モジュール５１０は、具体的に、
アンライセンス周波数帯域の周波数ポイントの優先度がライセンス周波数帯域の周波数ポイント優先度よりも高い場合、前記第１の周波数ポイントセットから、アンライセンス周波数帯域に属する周波数ポイントを目標周波数ポイントとして優先に決定し、前記目標周波数ポイントを検索し、又は、
ライセンス周波数帯域の周波数ポイントの優先度がアンライセンス周波数帯域の周波数ポイント優先度よりも高い場合、前記第１の周波数ポイントセットから、ライセンス周波数帯域に属する周波数ポイントを目標周波数ポイントとして優先に決定し、前記目標周波数ポイントを検索するように構成される。
【００８２】
任意選択で、いくつかの実施例において、前記第２の周波数優先度情報がライセンス周波数帯域及びアンライセンス周波数帯域の周波数ポイントの優先度を示し、前記検索モジュール５１０は、具体的に、
アンライセンス周波数帯域の周波数ポイントの優先度がライセンス周波数帯域の周波数ポイント優先度よりも高い場合、前記第２の周波数ポイントセットから、アンライセンス周波数帯域に属する周波数ポイントを目標周波数ポイントとして優先に決定し、又は、
ライセンス周波数帯域の周波数ポイントの優先度がアンライセンス周波数帯域の周波数ポイント優先度よりも高い場合、前記第２の周波数ポイントセットから、ライセンス周波数帯域に属する周波数ポイントを目標周波数ポイントとして優先に決定するように構成される。
【００８３】
任意選択で、いくつかの実施例において、前記端末デバイス５００は、さらに、通信モジュールを含み、
通信モジュールは、前記目標周波数ポイントに対応する第１のセルのマスター情報ブロックＭＩＢを受信するように構成され、前記ＭＩＢが指示情報を含み、前記指示情報は、前記第１のセルがプライマリーセル機能をサポートするかどうかを指示する。
【００８４】
任意選択で、いくつかの実施例において、前記選択モジュール５２０は、具体的に、前記指示情報に基づいて、セル選択又はセル再選択を行うように構成される。
【００８５】
任意選択で、いくつかの実施例において、前記選択モジュール５２０は、具体的に、
前記指示情報が前記第１のセルがプライマリーセル機能をサポートするように指示する場合、前記第１のセル的信号品質に基づいて、前記第１のセルに常駐するかどうかを決定し、又は、
前記指示情報が前記第１のセルがプライマリーセル機能をサポートしないように指示する場合、前記第１のセルに常駐しないと決定するように構成される。
【００８６】
任意選択で、いくつかの実施例において、前記通信モジュールは、さらに、
前記目標周波数ポイントに対応する第１のセルのシステム情報ブロックＳＩＢを受信するように構成され、前記ＳＩＢがセル再選択条件を含み、前記セル再選択条件が隣接セルと現在セルの信号品質の差の閾値を含み、前記選択モジュールは、具体的に、
前記指示情報が前記第１のセルがプライマリーセル機能をサポートするように指示する場合、前記第１のセルの信号品質と前記端末デバイスの現在常駐する第２のセルの信号品質との差が前記信号品質の差の閾値を超えるかどうかに基づいて、前記第２のセルから前記第１のセルへの再選択を行うかどうかを決定し、又は、
前記指示情報が前記第１のセルがプライマリーセル機能をサポートしないように指示する場合、前記第２のセルから前記第１のセルへの再選択を行わないと決定するように構成される。
【００８７】
任意選択で、いくつかの実施例において、前記選択モジュール５２０は、さらに、前記第２の周波数優先度がアンライセンス周波数帯域の周波数ポイントの優先度がライセンス周波数帯域の周波数ポイントの優先度よりも高いことを指示する場合、アンライセンス周波数帯域の同じ周波数ポイント又は異なる周波数ポイントの他セルにおいてセル再選択を行い、又は、
前記第２の周波数優先度がライセンス周波数帯域の周波数ポイントの優先度がアンライセンス周波数帯域の周波数ポイントの優先度よりも高いことを示す場合、ライセンス周波数帯域の同じ周波数ポイントセル又は異なる周波数ポイントの他セルにおいてセル再選択を行うように構成される。
【００８８】
なお、本発明の実施例に係る端末デバイス５００は、本発明の方法の実施例に係る端末デバイスに対応することができ、端末デバイス５００の各ユニットにおける上述した及びその他の動作及び/又は機能は、図２又は図４に示す方法における端末デバイスの対応するフローをそれぞれ実現するために、簡潔のためにここで説明を省略する。
【００８９】
図６は本願の実施例におけるネットワークデバイスのブロック図である。図６のネットワークデバイス６００は、決定モジュール６１０及び通信モジュール６２０を含み、
決定モジュール６１０は、端末デバイスの能力、加入者情報、及び前記端末デバイスのプリファレンスのうちの少なくとも１つに基づいて、第２の構成情報を決定するように構成され、
通信モジュール６２０は、前記端末デバイスに前記第２の構成情報を送信するように構成される。
【００９０】
具体的には、該ネットワークデバイス６００は、上記方法３００で説明されたネットワークデバイスに対応(例えば、構成又はそれ自体で)することができ、且つ、該ネットワークデバイス６００における各モジュール又はユニットは、それぞれ、上記方法３００又は方法２０でネットワークデバイスにより実行される各動作又は処理手順を実行するために使用されるが、ここでは、重複説明を避けるために、その詳細な説明は省略する。
【００９１】
図７に示されるように、本願の実施例は、端末デバイス７００をさらに提供し、この端末デバイス７００が図５の端末デバイス５００であっても良く、図２の方法２００又は図４に示される方法２０に対応する端末デバイスのコンテンツを実行するために使用される。端末デバイス７００は、入力インターフェース７１０、出力インターフェース７２０、プロセッサ７３０、及びメモリ７４０を含み、入力インターフェース７１０、出力インターフェース７２０、プロセッサ７３０、及びメモリ７４０は、バスシステムを介して接続され得る。メモリ７４０は、プログラム、命令、又はコードを含むデータを記憶するために使用される。プロセッサ７３０は、入力インターフェース７１０を制御して信号を受信し、出力インターフェース７２０を制御して信号を送信し、前述の方法の実施形態の動作を完了するために、メモリ７４０内のプログラム、命令、又はコードを実行する。
【００９２】
本発明の実施例において、プロセッサ７３０は、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【００９３】
メモリ７４０は、読み出し専用メモリおよびランダムアクセスメモリを含むことができ、プロセッサ７３０に命令およびデータを提供する。メモリ７４０の一部は、不揮発性ランダムアクセスメモリをさらに含み得る。例えば、メモリ７４０は、デバイスタイプの情報をさらに記憶することができる。
【００９４】
実施において、方法の各コンテンツは、プロセッサ７３０におけるハードウェアの集積論理回路またはソフトウェア形態の命令によって実現されてもよい。本願の実施形態に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ７４０に位置し、プロセッサ７３０は、メモリ７４０の情報を読み取り、そのハードウェアと共に、上述した方法の内容を実現する。重複を避けるため、ここでは詳細な説明は省略する。
【００９５】
１つの具体的な実施例において、図５の端末デバイス５００に含まれた検索モジュール５１０及び選択モジュール５２０は、図７のプロセッサ７３０で実現され、図５の端末デバイス５００に含まれた通信モジュールは、図７の入力インターフェース７１０及び出力インターフェース７２０で実現される。 
図８に示されるように、本願の実施例は、ネットワークデバイス８００をさらに提供し、このネットワークデバイス８００が図６のネットワークデバイス６００であっても良く、図３の方法３００又は図４に示される方法２０に対応するネットワークデバイスのコンテンツを実行するために使用され得る。このネットワークデバイス８００は、入力インターフェース８１０、出力インターフェース８２０、プロセッサ８３０、及びメモリ８４０を含み、入力インターフェース８１０、出力インターフェース８２０、プロセッサ８３０、及びメモリ８４０は、バスシステムによって接続されてもよい。メモリ８４０は、プログラム、命令、またはコードを含む命令を記憶するために使用される。プロセッサ８３０は、メモリ８４０内のプログラム、命令、又はコードを実行して、入力インターフェース８１０を制御して信号を受信し、出力インターフェース８２０を制御して信号を送信し、且つ前述の方法の実施形態の動作を完了する。
【００９６】
なお、プロセッサ８３０は、本願の実施形態において、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【００９７】
メモリ８４０は、読み出し専用メモリおよびランダムアクセスメモリを含み得、プロセッサ８３０に命令およびデータを提供し得る。メモリ８４０の一部は、不揮発性ランダムアクセスメモリも含み得る。例えば、メモリ８４０は、デバイスタイプの情報をさらに記憶してもよい。
【００９８】
実施において、方法の各コンテンツは、プロセッサ８３０内のハードウェアの集積論理回路またはソフトウェア形態の命令によって実現されてもよい。本願の実施形態に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体はメモリ８４０に位置し、プロセッサ８３０はメモリ８４０内の情報を読み出し、ハードウェアとともに上述した方法の内容を実現する。重複を避けるため、ここでは詳細な説明は省略する。
【００９９】
１つの具体的な実施例において、図６のネットワークデバイス６００に含まれる決定モジュール６１０は、図８のプロセッサ８３０で実装され、図６のネットワークデバイス６００に含まれる通信モジュール６２０は、図８の入力インターフェース８１０及び出力インターフェース８２０で実装されてもよい。
【０１００】
本願の実施例は、複数のアプリケーションプログラムを含む携帯型電子機器によって実行されると、図２〜図４に示す実施例の方法を携帯型電子機器に実行させることが可能な命令を含む１又は複数のプログラムを記憶するコンピュータ可読記憶媒体をさらに提案する。
【０１０１】
本願の実施例は、コンピュータプログラムをさらに提案し、コンピュータプログラムは、コンピュータプログラムがコンピュータによって実行されると、コンピュータに、図２〜図４に示される実施形態の方法の対応するフローを実行させる命令を含む。 
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１０２】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１０３】
本明細書で提供するいくつかの実施形態では、開示されたシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１０４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１０５】
また、本発明の各実施例における各機能部は、１つの処理部に集積されてもよいし、各部は、物理的に別個に存在してもよいし、２つ以上の部が１つの部に集積されてもよい。
【０１０６】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータ装置(パーソナルコンピュータ、サーバ、またはネットワークデバイスなどであってもよい)に本発明の様々な実施形態による方法のステップの全てまたは一部を実行させるための複数の命令を含む１つの記憶媒体に記憶されたソフトウェア製品の形態で具現化されてもよい。なお、前記記憶媒体としては、U-ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１０７】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021510017.tif 000003
【図２】
2021510017.tif 000004
【図３】
2021510017.tif 000005
【図４】
2021510017.tif 000006
【図５】
2021510017.tif 000007
【図６】
2021510017.tif 000008
【図７】
2021510017.tif 000009
【図８】
2021510017.tif 000010
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
端末デバイスが、予め構成された第１の構成情報、ネットワークが動的シグナリングを利用して構成した第２の構成情報、及びユーザーにより設定された動作モードのうちの少なくとも１つに基づいて、目標周波数ポイントを検索することと、
前記目標周波数ポイントでのセルの状況に基づいて、セル選択又はセル再選択を行うこととを含む
ことを特徴とするセル選択方法。
【請求項２】
前記第１の構成情報が第１の周波数ポイントセットの情報及び／又は第１の周波数優先度情報を含み、前記第２の構成情報が第２の周波数ポイントセットの情報及び／又は第２の周波数優先度情報を含む
ことを特徴とする請求項１に記載のセル選択方法。
【請求項３】
前記第２の周波数優先度情報は、前記ネットワークデバイスが前記端末デバイスの能力、加入者情報及び前記端末デバイスのプリファレンスのうちの少なくとも１つに基づいて決定し動的シグナリングを介して特定の端末デバイスに構成する
ことを特徴とする請求項２に記載のセル選択方法。
【請求項４】
前記第２の周波数優先度情報の優先度が前記第１の周波数優先度情報の優先度よりも高く、前記ユーザーにより設定された動作モードの優先度が前記第１の構成情報及び前記第２の構成情報よりも高い
ことを特徴とする請求項２又は３に記載のセル選択方法。
【請求項５】
前記端末デバイスが、予め構成された第１の構成情報、ネットワークにより構成された第２の構成情報、及びユーザーにより設定された動作モードの少なくとも１つに基づいて、目標周波数ポイントを検索することは、
ユーザーにより設定された動作モードがアンライセンス周波数帯域のみでセル選択又はセル再選択を行うように指示する場合、前記端末デバイスが前記第１の周波数ポイントセット又は前記第２の周波数ポイントセットから、アンライセンス周波数帯域に属する周波数ポイントを目標周波数ポイントとして決定し、前記目標周波数ポイントを検索すること、又は、
動作モードがアンライセンス周波数帯域のみでセル選択又はセル再選択を行うようにユーザーにより設定されない場合、前記端末デバイスが前記第１の周波数ポイントセット又は前記第２の周波数ポイントセットに含まれるライセンス周波数帯域及びアンライセンス周波数帯域の周波数ポイントから、目標周波数ポイントを決定し、前記目標周波数ポイントを検索することを含む
ことを特徴とする請求項２〜４のいずれか１項に記載のセル選択方法。
【請求項６】
前記第１の周波数優先度情報がライセンス周波数帯域及びアンライセンス周波数帯域の周波数ポイントの優先度の順番を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが前記第１の周波数ポイントセットからアンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第１の周波数ポイントセットから、ライセンス周波数帯域に属する周波数ポイントを目標周波数ポイントとして優先に決定し、前記目標周波数ポイントを検索することを含む
ことを特徴とする請求項２〜５のいずれか１項に記載のセル選択方法。
【請求項７】
前記第２の周波数優先度情報がライセンス周波数帯域及びアンライセンス周波数帯域の周波数ポイントの優先度を示し、前記端末デバイスが、予め構成された第１の構成情報、ネットワークにより構成された第２の構成情報、及びユーザーにより設定された動作モードの少なくとも１つに基づいて、目標周波数ポイントを検索することは、
アンライセンス周波数帯域の周波数ポイントの優先度がライセンス周波数帯域の周波数ポイント優先度よりも高い場合、前記端末デバイスが、前記第２の周波数ポイントセットから、アンライセンス周波数帯域に属する周波数ポイントを目標周波数ポイントとして優先に決定し、前記目標周波数ポイントを検索すること、又は、
ライセンス周波数帯域の周波数ポイントの優先度がアンライセンス周波数帯域の周波数ポイント優先度よりも高い場合、前記端末デバイスが、前記第２の周波数ポイントセットから、ライセンス周波数帯域に属する周波数ポイントを目標周波数ポイントとして優先に決定し、前記目標周波数ポイントを検索することを含む
ことを特徴とする請求項２〜５のいずれか１項に記載のセル選択方法。
【請求項８】
前記方法は、さらに、
前記端末デバイスが前記目標周波数ポイントに対応する第１のセルのマスター情報ブロックＭＩＢを受信することを含み、前記ＭＩＢが指示情報を含み、前記指示情報は、前記第１のセルがプライマリーセル機能をサポートするかどうかを指示する
ことを特徴とする請求項１〜７のいずれか１項に記載のセル選択方法。
【請求項９】
前記目標周波数ポイントに対応するセルの状況に基づいて、セル選択又はセル再選択を行うことは、
前記端末デバイスが前記指示情報に基づいて、セル選択又はセル再選択を行うことを含む
ことを特徴とする請求項８に記載のセル選択方法。
【請求項１０】
前記端末デバイスが前記指示情報に基づいてセル選択を行うことは、
前記情報が前記第１のセルがプライマリーセル機能をサポートするように指示する場合、前記端末デバイスが前記第１のセルの信号品質に基づいて前記第１のセルに常駐するかどうかを決定すること、又は、
前記指示情報が前記第１のセルがプライマリーセル機能をサポートしないように指示する場合、前記端末デバイスが前記第１のセルに常駐しないと決定することを含む
ことを特徴とする請求項９に記載のセル選択方法。
【請求項１１】
前記方法は、さらに、
前記端末デバイスが前記目標周波数ポイントに対応する第１のセルのシステム情報ブロックＳＩＢを受信することを含み、前記ＳＩＢがセル再選択条件を含み、前記セル再選択条件が隣接セルと現在セルの信号品質の差の閾値を含み、前記端末デバイスが前記指示情報に基づいてセル再選択を行うことは、
前記指示情報が前記第１のセルがプライマリーセル機能をサポートするように指示する場合、前記端末デバイスが前記第１のセルの信号品質と前記端末デバイスの現在常駐する第２のセルの信号品質との差が前記信号品質の差の閾値を超えるかどうかに基づいて、前記第２のセルから前記第１のセルへの再選択を行うかどうかを決定すること、又は、
前記指示情報が前記第１のセルがプライマリーセル機能をサポートしないように指示する場合、前記端末デバイスが前記第２のセルから前記第１のセルへの再選択を行わないと決定することを含む
ことを特徴とする請求項９に記載のセル選択方法。
【請求項１２】
前記端末デバイスがセル再選択を行う必要があると決定した後、前記方法は、さらに、
前記第２の周波数優先度がアンライセンス周波数帯域の周波数ポイントの優先度がライセンス周波数帯域の周波数ポイントの優先度よりも高いことを指示する場合、アンライセンス周波数帯域の同じ周波数ポイント又は異なる周波数ポイントの他セルにおいてセル再選択を行うこと、又は、
前記第２の周波数優先度がライセンス周波数帯域の周波数ポイントの優先度がアンライセンス周波数帯域の周波数ポイントの優先度よりも高いことを示す場合、ライセンス周波数帯域の同じ周波数ポイントセル又は異なる周波数ポイントの他セルにおいてセル再選択を行うことを含む
ことを特徴とする請求項１１に記載のセル選択方法。
【請求項１３】
ネットワークデバイスが、端末デバイスの能力、加入者情報、及び前記端末デバイスのうちの少なくとも１つに基づいて、第２の構成情報を決定することと、
前記ネットワークデバイスが前記端末デバイスに前記第２の構成情報を送信することとを含む
ことを特徴とするセル選択方法。
【請求項１４】
請求項１〜１２のいずれか１項に記載の方法のステップを実行する
ことを特徴とする端末デバイス。
【請求項１５】
請求項１３に記載の方法のステップを実行する
ことを特徴とするネットワークデバイス。
【国際調査報告】
2021510017.tif 000011
2021510017.tif 000012
2021510017.tif 000013
2021510017.tif 000014